(57)【要約】      （修正有）【課題】意図したカメラだけに属性情報を対応付けできる情報対応付け装置を提供する。【解決手段】監視カメラ２で撮影した取得画像と前記カメラ２の個体識別情報を取得する取得部１１と、前記取得画像に写った属性情報表現体から、前記カメラの属性情報を解析する解析部１２と、前記取得画像に写った特定の方向を表す方向性パターンを検出する検出部１３と、前記方向性パターンから求めた前記特定の方向に関する検出結果に基づいて、前記個体識別情報と前記属性情報とを対応付けて組を構成する対応付け部１４と、を有する。【選択図】図２
2015122639.tif 000002
【特許請求の範囲】
【請求項１】
カメラで撮影した取得画像と、前記カメラの個体識別情報を取得する取得部と、
前記取得画像に写った属性情報表現体から、前記カメラの属性情報を解析する解析部と、
前記取得画像に写った特定の方向を表す方向性パターンを検出する検出部と、
前記方向性パターンから求めた前記特定の方向に関する検出結果に基づいて、前記個体識別情報と前記属性情報とを対応付けて組を構成する対応付け部と、
を有する情報対応付け装置。
【請求項２】
前記検出部が前記特定の方向に向いた前記方向性パターンを検出し、
前記対応付け部は、前記特定の方向に向いた前記方向性パターンを検出したときのみ前記組を構成して記憶部に記憶させる、
請求項１記載の情報対応付け装置。
【請求項３】
前記対応付け部は、前記特定の方向に関する検出結果と前記組とを合わせて記憶部に記憶させる、
請求項１記載の情報対応付け装置。
【請求項４】
前記方向性パターンは、顔、又は、人である、
請求項１乃至３のいずれか一項に記載の前記情報対応付け装置。
【請求項５】
前記方向性パターンは、多角形、又は、円形からなる図形、並びに、複数の前記図形の組み合わせからなる、
請求項１乃至３のいずれか一項に記載の情報対応付け装置。
【請求項６】
前記属性情報表現体は、前記取得画像に写った属性パターン、バーコード、又は、文字列である、
請求項１乃至３のいずれか一項に記載の情報対応付け装置。
【請求項７】
前記属性パターンは、多角形、又は、円形からなる図形、並びに、複数の前記図形の組み合わせからなる、
請求項６記載の情報対応付け装置。
【請求項８】
前記特定の方向とは、前記方向性パターンの正面向き、又は、真上の向きである、
請求項１乃至３のいずれか一項に記載の情報対応付け装置。
【請求項９】
前記属性情報とは、前記カメラの設置位置、設置階、設置高さ、撮影対象、又は、撮影方向である、
請求項１乃至３のいずれか一項に記載の情報対応付け装置。
【請求項１０】
前記個体識別情報とは、前記カメラに割り振られた通し番号、前記カメラの製造番号ＩＰアドレス、又は、ネットワーク上の名前である、
請求項１乃至３のいずれか一項に記載の情報対応付け装置。
【請求項１１】
前記カメラは、監視カメラである、
請求項１乃至３のいずれか一項に記載の情報対応付け装置。
【請求項１２】
前記カメラは、壁、又は、天井に取り付けられている、
請求項１乃至３のいずれか一項に記載の情報対応付け装置。
【請求項１３】
前記カメラは、可視光で撮影するカメラ、又は、赤外線カメラである、
請求項１乃至３のいずれか一項に記載の情報対応付け装置。
【請求項１４】
前記カメラが複数台あり、これら前記各カメラが同じ撮影対象を撮影している、
請求項１乃至３のいずれか一項に記載の情報対応付け装置。
【請求項１５】
前記取得画像を撮影した前記カメラの前記個体識別情報を前記記憶部から呼び出し、前記個体識別情報と前記取得画像に関する出力情報とを出力する出力部をさらに有する、
請求項１乃至３のいずれか一項に記載の情報対応付け装置。
【請求項１６】
前記解析部は、属性閾値を用いたテンプレートマッチングにより、前記属性情報表現体から前記カメラの前記属性情報を解析する、
請求項１乃至３のいずれか一項に記載の情報対応付け装置。
【請求項１７】
前記検出部は、方向性閾値を用いたテンプレートマッチングにより、前記方向性パターンが前記特定の方向か否かを検出し、前記方向性閾値が前記属性閾値より高い、
請求項１６記載の情報対応付け装置。
【請求項１８】
前記カメラ毎の前記属性情報表示体又は方向性パターンをタブレット端末又はノートパソコンの表示画面に表示させる、
請求項１乃至３のいずれか一項に記載の情報対応付け装置。
【請求項１９】
カメラで撮影した取得画像と、前記カメラの個体識別情報を取得する取得ステップと、
前記取得画像に写った属性情報表現体から、前記カメラの属性情報を解析する解析ステップと、
前記取得画像に写った特定の方向を表す方向性パターンを検出する検出ステップと、
前記方向性パターンから求めた前記特定の方向に関する検出結果に基づいて、前記個体識別情報と前記属性情報とを対応付けて組を構成する対応付けステップと、
を有する情報対応付け方法。
【請求項２０】
カメラで撮影した取得画像と、前記カメラの個体識別情報を取得する取得機能と、
前記取得画像に写った属性情報表現体から、前記カメラの属性情報を解析する解析機能と、
前記取得画像に写った特定の方向を表す方向性パターンを検出する検出機能と、
前記方向性パターンから求めた前記特定の方向に関する検出結果に基づいて、前記個体識別情報と前記属性情報とを対応付けて組を構成する対応付け機能と、
をコンピュータに実行させるための情報対応付けプログラム。
【発明の詳細な説明】
【技術分野】
【０００１】
本発明の実施形態は、情報対応付け装置、その方法及びそのプログラムに関する。
【背景技術】
【０００２】
従来、建物などに設置した複数の監視カメラにそれぞれ属性情報を付与するために、監視カメラに２次元バーコードやパターンをそれぞれ提示し、この監視カメラで撮影した画像に写った２次元バーコードやパターンから抽出した情報に基づいて、その監視カメラの属性情報を付与する方法が提案されている。
【先行技術文献】
【特許文献】
【０００３】
【特許文献１】特開２０１１―２４４３９４号公報
【非特許文献】
【０００４】
【非特許文献１】Takeshi Mita, Toshimitsu Kaneko, Bjorn Stenger, Osamu Hori: "Discriminative Feature Co-Occurrence Selection for Object Detection". IEEE Transaction Pattern Analysis and Machine Intelligence Volume 30, Number 7, July 2008, pp. 1257-1269
【非特許文献２】Tomoki Watanabe, Satoshi Ito, Kentaro Yoko:"Co-occurrence Histogram of Oriented Gradients for Human Detection", IPSJ Transaction on Computer Vision and Applications Volume 2 March 2010, pp.39-47
【発明の概要】
【発明が解決しようとする課題】
【０００５】
複数の監視カメラからなるカメラシステムにおいては、複数の監視カメラにそれぞれ属性情報を付与する必要がある。しかし、複数の監視カメラが同じ場所を撮影している場合に、１台の監視カメラに２次元バーコードやパターンを提示すると、他の監視カメラにも２次元バーコードやパターンが写り、上記従来方法では、意図とは異なる監視カメラへ誤った属性情報が取得されるという問題点が発生する。
【０００６】
そこで、本発明の実施形態は上記問題点に鑑み、意図したカメラだけに属性情報を対応付けできる情報対応付け装置を提供することを目的とする。
【課題を解決するための手段】
【０００７】
本発明の実施形態は、カメラで撮影した取得画像と、前記カメラの個体識別情報を取得する取得部と、前記取得画像に写った属性情報表現体から、前記カメラの属性情報を解析する解析部と、前記取得画像に写った特定の方向を表す方向性パターンを検出する検出部と、前記方向性パターンから求めた前記特定の方向に関する検出結果に基づいて、前記個体識別情報と前記属性情報とを対応付けて組を構成する対応付け部と、を有する情報対応付け装置である。
【図面の簡単な説明】
【０００８】
【図１】第１の実施形態における監視カメラの設置状態を示す図。
【図２】第１の実施形態の情報対応付け装置のブロック図。
【図３】属性パターンと属性情報を表す属性テーブルの例。
【図４】（ａ）は正面向きの属性パターンの図、（ｂ）は非正面向きの属性パターンの図。
【図５】（ａ）は正面向きの人物の属性パターンの図、（ｂ）は非正面向きの人物の属性パターンの図。
【図６】記憶部で記憶される組テーブルの例。
【図７】第１の実施形態の情報対応付け装置の処理を示すフローチャート。
【図８】第１の実施形態の情報対応付け装置のハードウェア構成の一例を表すブロック図。
【図９】第１の実施形態の変更例のハードウェア構成の一例を表すブロック図。
【図１０】第２の実施形態の情報対応付け装置のブロック図。
【図１１】第２の実施形態の記憶部で記憶される組テーブルの例。
【図１２】第２の実施形態の情報対応付け装置の処理を示すフローチャート。
【図１３】第３の実施形態において、監視カメラが提示板を持った作業者の頭を上から撮影した画像。
【図１４】第３の実施形態において、監視カメラが提示板を持った作業者の帽子を上から撮影した画像。
【発明を実施するための形態】
【０００９】
以下、本発明の一実施形態の情報対応付け装置について図面を参照して詳細を説明する。
【第１の実施形態】
【００１０】
第１の実施形態の情報対応付け装置１０について図１〜図９に基づいて説明する。なお、本実施形態の情報対応付け装置１０について説明をわかりやすくするために、図１の具体例を掲げて説明する。すなわち、図１に示すように、百貨店、スーパーマーケット、企業や官公庁などの建物、研究所などの複数階建ての建物１の部屋、区画、廊下などに監視カメラ２がそれぞれ設置されており、これら複数台の監視カメラ２の各設置位置、各撮影対象、各撮影方向と、各監視カメラ２の個体識別番号とを対応付ける作業を情報対応付け装置１０によって行う。この対応付ける作業は、例えば、建物１が完成する前であって、建物１に監視カメラ２をそれぞれ設置した後に、作業員が、この情報対応付け装置１０を用いて各監視カメラ２に関して１台ずつ行う。この作業は建物１の完成後に行ってもよい。例えば、レイアウト変更等の場合である。なお、撮影対象は、建物１内に限らず、建物１の外（例えば、入口外側、庭）でもよい。
【００１１】
情報対応付け装置１０は、図２のブロック図に示すように、取得部１１、解析部１２、検出部１３、対応付け部１４、記憶部１５、出力部１６とを有する。以下、順番に各部１１〜１６を説明する。
【００１２】
取得部１１は、複数台の監視カメラ２と接続されており、各監視カメラ２が撮影した取得画像と、各監視カメラ２の個体識別情報を取得する。この取得画像には、属性情報を表現した属性情報表現体と方向性パターンが写っている。
【００１３】
「個体識別情報」とは、各監視カメラ２に割り振られた通し番号や製造番号を意味するか、又は、ネットワークに接続されている場合はＩＰアドレス、ネットワーク上の名前である。属性情報表現体と方向性パターンについては後述する。
【００１４】
解析部１２は、取得画像に写っている属性情報表現体を検出し、属性情報を解析する。
【００１５】
ここで「属性情報表現体」とは、属性パターン、バーコード、又は、文字列を意味する。
【００１６】
「属性パターン」とは、図形の種類（三角形や四角形などの多角形、円形の形状）、その図形の色、その図形の大きさ、その図形の平面内の向きの中の１つ又は２つ以上の組合せによって、一つの属性情報が表現されている。また、属性情報は、複数の種類の図形、又は、同じ種類の図形から構成され、これら図形の上下左右などの位置関係又は配置状態を表現してもよい。
【００１７】
「バーコード」とは、縞模様状の線の太さによって情報を表したバーコード、又は、２次元バーコードであって、属性情報が表現される。
【００１８】
「文字列」とは、取得画像からＯＣＲなどを用いて抽出した文字の列であって、属性情報が表現される。
【００１９】
「属性情報」とは、監視カメラ２の設置位置などを示す情報である。例えば、建物１内に設置された監視カメラ２に関しては、設置階、設置位置、設置高さ、撮影対象、撮影方向及びそれらの組み合わせである。また、高いセキュリティーが必要な場所（例えば、ＡＴＭの設置場所）を監視する場合には、１台の監視カメラ２が故障しても、その監視が続けられるように、同じ属性情報（同じ設置位置、同じ撮影対象、同じ撮影方向）を持つ複数台の監視カメラ２があってもよい。
【００２０】
解析部１２の解析方法としては、例えば、図３に示すように属性パターンと属性情報を予め対応付けた属性テーブルを用意する。そして、解析部１２は、その属性テーブルに記憶されている図形のテンプレートを用いて、その属性パターンの認識スコアをテンプレートマッチングにより求め、次に、その認識スコアと予め準備した属性閾値とを比較し、次に、認識スコアが属性閾値より高い場合には取得画像中の属性パターンがその位置に存在すると判断し、次に、この検出した属性パターンに対応する属性情報を属性テーブルから呼び出す。
【００２１】
検出部１３は、取得画像から正面を向いた方向性パターンを検出する。
【００２２】
「方向性パターン」とは、正面を向いたときだけ検出できる図形の種類などであり、例えば前記属性パターンと同様に図形の種類（三角形や四角形などの多角形、円形の形状）、その図形の色、その図形の大きさ、その図形の平面内の向きの中の１つ又は２つ以上の組合せからなる。
【００２３】
検出部１３は、方向性パターンを表す図形の方向性テーブルを用意する。そして、検出部１３は、その方向性テーブルに記憶されている図形のテンプレートを用いて、その方向性パターンの認識スコアをテンプレートマッチングにより求め、次に、その認識スコアと予め準備した方向性閾値とを比較し、次に、認識スコアが方向性閾値より高い場合には取得画像中の方向性パターンが正面を向いていると判断し、次に、正面を向いた方向性パターンのみを検出する。例えば、図４（ａ）に示すように、監視カメラ２が撮影した取得画像に円形３２を描いた提示板が写っている場合に、その写っている円形３２が真円であるので、円形のテンプレートマッチの認識スコアが高くなり、前記方向性閾値を超えて、検出部１３は、正面を向いた方向性パターンと判断できる。なお、この方向性閾値は、解析部１２における属性閾値よりも高い値に設定され、テンプレートマッチによる認識を高い精度にしている。
【００２４】
一方、図４（ｂ）に示すように、監視カメラ２が撮影した取得画像に円３４を描いた板が写っている場合に、その写っている円３４が楕円であるので、円形のテンプレートマッチの認識スコアが低くなり前記方向性閾値を超えず、検出部１３は、斜めの方向性パターンと判断できる。
【００２５】
また、複数の図形で方向性パターンを構成する場合、検出部１３は、検出した図形の大きさ、距離、位置関係から決まる値を方向性閾値として検出してもよい。例えば、監視カメラ２が、２つの図形を斜めから撮影すると図形間の距離が縮むため、この距離を方向性閾値として設定することで正面向きのみ検出できる。また、方向性パターンとして、図形の大きさと図形間の距離の比を用いると監視カメラ２からの奥行きの影響を排除できる。
【００２６】
なお、「属性パターン」「方向性パターン」に関して、両方共に共通の図形を用いてもよい。以下、両者をまとめて「パターン」と呼ぶ。例えば、円形のパターンを用いる場合には、その円形のパターンは、属性パターンでもあり、方向性パターンでもある。
【００２７】
また、「方向性パターン」としては、前記図形以外に顔や人物を用いてもよい。顔の検出は、例えば非特許文献１の方法を用い、人物の検出は、例えば非特許文献２の方法を用いる。これらの方法では、正面を向いた顔や人物が写った取得画像を用いて検出辞書を学習することで、検出部１３が正面を向いた顔や人物を検出する。
【００２８】
図５（ａ）は、作業者が、属性情報の対応付けを意図した監視カメラ２で撮影した取得画像４１を示し、図５（ｂ）は、作業者が属性情報の対応付けを意図しない別の監視カメラ２から撮影した取得画像４２を示している。図５（ａ）の意図した監視カメラ２の取得画像４１では、解析部１２が、属性情報表現体が記載された提示板４５を検出でき、作業者が正面を向いているため、検出部１３は、顔４３や人物４４の正面を向いた方向性パターンを検出できる。図５（ｂ）に示す意図していない監視カメラ２で撮影した取得画像４２では、解析部１３が属性情報表現体を記載した提示板４７を検出できるが、作業者４６が正面を向いていないため、検出部１２は正面を向いた方向性パターンを検出できない。
【００２９】
対応付け部１４は、検出部１３が正面を向いた方向性パターンを検出したときに、解析部１２で解析した属性情報と監視カメラ２の個体識別情報を対応付けて組を構成し、この組を記憶部１５に記憶させる。
【００３０】
記憶部１５は、対応付け部１４に基づいて対応付けられた前記属性情報と前記監視カメラ２の個体識別情報の組を記憶する。例えば、図６に示す監視カメラ２の個体識別情報と属性情報の組を表す組テーブルを記憶する。
【００３１】
出力部１６は、取得部１１で取得された取得画像などの出力情報を出力するときに、その取得画像を撮影した監視カメラ２の個体識別情報を記憶部１５から呼び出し、前記出力情報と共に出力する。
【００３２】
「出力情報」とは、取得画像、その取得画像を画像処理した結果の処理画像、又は、その取得画像から認識処理などを行い得られた認識情報を意味する。
【００３３】
「認識情報」とは、例えば、取得画像中の顔の数や人物の数、認識した人物のＩＤ、人物の画像内の動線、混雑度などである。他にも取得画像の明るさ、又は、監視カメラ２の故障などの状態でもよい。
【００３４】
情報対応付け装置１０の処理について、図７のフローチャートに基づいて説明する。
【００３５】
建物１内の複数台の監視カメラ２を全て作動させ取得画像を撮影できる状態にする。そして、作業者が図４又は図５の提示板を持って、それぞれの監視カメラ２の前に立つ。監視カメラ２は、作業者が持った提示板を撮影して取得画像を入力する。
【００３６】
ステップＳ１１において、取得部１１は、監視カメラ２が撮影した取得画像と、その監視カメラ２の個体識別情報を取得する。取得部１１は、取得画像を解析部１２及び検出部１３へ出力し、監視カメラ２の個体識別情報を対応付け部１４及び出力部１６へ出力する。なお、取得部１１は、監視カメラ２の個体識別情報を対応付け部１４のみに出力してもよい。そして、ステップＳ１２に進む。
【００３７】
ステップＳ１２において、解析部１２が、取得画像から属性パターン、バーコード、又は、文字列を検出する。そして、ステップＳ１３に進む。
【００３８】
ステップＳ１３において、解析部１２は、属性パターン、バーコード、又は、文字列を検出できた場合はステップＳ１４に進み、検出できなかった場合は終了する。
【００３９】
ステップＳ１４において、解析部１２は、検出した属性パターン、バーコード、又は、文字列から属性情報を解析する。解析部１２は、解析した属性情報を対応付け部１４へ出力する。そして、ステップＳ１５に進む。
【００４０】
ステップＳ１５において、検出部１３は、取得画像から正面を向いた方向性パターンを検出する。そして、ステップＳ１６に進む。
【００４１】
ステップＳ１６において、検出部１３は、正面を向いた方向性パターンを検出できたときは、検出できた旨を対応付け部１４に出力してステップＳ１７に進み（Ｙの場合）、検出できなかった場合は終了する（Ｎの場合）。
【００４２】
ステップＳ１７において、検出部１３が正面を向いた方向性パターンを検出できたので、対応付け部１４は、解析部１２で解析した属性情報と、取得部１１からの監視カメラ２の個体識別情報とを対応付けて組を構成し、記憶部１５に記憶させる。そして、ステップＳ１８に進む。
【００４３】
ステップＳ１８において、対応付け部１４は、建物１内の全ての監視カメラ２の個体識別情報と属性情報との組が記憶部１５に記憶できたか否かを個体識別情報の総数Ｍから判断し、記憶数ｍ＝総数Ｍである場合には記憶できたとしてステップＳ２０に進み（Ｎの場合）、Ｍ＞ｍのときは記憶できていないとしてステップＳ１９に進む（Ｙの場合）。
【００４４】
ステップＳ１９において、対応付け部１４は、ｍ＝ｍ＋１としてステップＳ１１に進み、作業者が提示板を持って次の監視カメラ２の前に立つ。
【００４５】
ステップＳ２０において、出力部１６は、取得部１１で取得された取得画像などの出力情報と、その取得画像を撮影した監視カメラ２の個体識別情報を出力して終了する。
【００４６】
本実施形態によれば、正面を向いた方向性パターンが検出された取得画像に対応した個体識別情報と属性情報の組のみを記憶するため、作業者が意図した監視カメラ２だけに属性情報を付与できる。
【００４７】
情報対応付け装置１０を含むカメラシステムのハードウェアの構成の一例について、図８のブロック図に基づいて説明する。カメラシステムは複数の監視カメラ２とサーバー３と情報対応付け装置１０とをハブ４でつないだものである。
【００４８】
図８に示すように、情報対応付け装置１０はＣＰＵ７１、取得画像から対象を検出する検出プログラムなどを記憶するＲＯＭ７２、ＲＡＭ７３、画像取得用のインタフェイスであるＩ／Ｆ７４、バス７５とを備えており、通常のコンピュータを利用したハードウェア構成となっている。なお、ＣＰＵ７１、ＲＯＭ７２、ＲＡＭ７３、Ｉ／Ｆ７４はバス７５を介して互いに接続されている。
【００４９】
情報対応付け装置１０では、ＣＰＵ７１が、ＲＯＭ７２からプログラムをＲＡＭ７３上に読み出して実行することにより、上記各部（取得部１１、解析部１２、検出部１３、対応付け部１４、記憶部１５、出力部１６等）がコンピュータ上で実現され、Ｉ／Ｆ７４から検出処理を行う。
【００５０】
なお、プログラムはＲＯＭ７２に記憶されていてもよい。また、プログラムを、インターネット等のネットワークに接続されたコンピュータ上に格納し、ネットワーク経由でダウンロードさせることにより提供するようにしてもよい。また、プログラムを、インターネット等のネットワーク経由で提供又は配布するようにしてもよい。
【００５１】
また、情報対応付け装置１０が複数あり、それらとハブ４をつないであってもよい。
【００５２】
また、図９に示すように監視カメラ２が、ハブ４ではなく情報対応付け装置１０と直接接続する構成でもよい。
【第２の実施形態】
【００５３】
第２の実施形態の情報対応付け装置２０について図１０〜図１２に基づいて説明する。
【００５４】
情報対応付け装置２０の構成について図１０のブロック図に基づいて説明する。情報対応付け装置２０は、取得部２１、解析部２２、検出部２３、対応付け部２４、記憶部２５、出力部２６を備える。この中で取得部２１、解析部２２及び検出部２３はそれぞれ、第１の実施形態の情報対応付け装置１０の取得部１１、解析部１２、検出部１３と同じ構成と機能であるので、その説明は省略する。
【００５５】
対応付け部２４は、検出部２３からの正面を向いた方向性パターンの有無と、解析部１２からの属性情報と、監視カメラ２の個体識別情報の組を構成して記憶部２５に記憶させる。例えば、対応付け部２４は、図１１に示す監視カメラ２の個体識別情報と属性情報と方向性パターンの検出結果の組テーブルを記憶部２５に記憶させる。ここで方向性パターンの検出結果とは、正面向きの方向性パターンが検出されたか否かを意味する。
【００５６】
出力部２６は、取得部１１で取得された取得画像などの出力情報を出力するときに、その取得画像を撮影した監視カメラ２の個体識別情報と方向性パターンの有無を記憶部１５から呼び出し、前記出力情報と共に出力する。
【００５７】
情報対応付け装置２０の処理について図１２のフローチャートに基づいて説明する。
【００５８】
ステップＳ２１〜Ｓ２４は、第１の実施形態のステップＳ１１〜Ｓ１４の処理と同様であるので説明は省略する。
【００５９】
ステップＳ２５において、検出部１３は、取得画像から正面を向いた方向性パターンの有無を検出する。そして、ステップＳ２６に進む。
【００６０】
ステップＳ２６において、対応付け部１４が、正面を向いた方向性パターンの有無と、解析部１２で解析した属性情報と、取得部１１からの監視カメラ２の個体識別情報を対応付けて組を構成し、記憶部１５に記憶させる。そして、ステップＳ２７に進む。
【００６１】
ステップＳ２７において、対応付け部２４は、建物１内の全ての監視カメラ２の個体識別情報と属性情報との組が記憶部２５に記憶できたか否かを個体識別情報の総数Ｍから判断し、記憶数ｍ＝総数Ｍである場合には記憶できたとしてステップＳ２９に進み（Ｎの場合）、Ｍ＞ｍのときは記憶できていないとしてステップＳ２８に進む（Ｙの場合）。
【００６２】
ステップＳ２８において、対応付け部１４は、ｍ＝ｍ＋１としてステップＳ２１に進み、作業者が提示板を持って次の監視カメラ２の前に立つ。
【００６３】
ステップＳ２９において、出力部２６は、取得部２１で取得された取得画像などの出力情報と、正面を向いた方向性パターンの有無と、その取得画像を撮影した監視カメラ２の個体識別情報を出力して終了する。
【００６４】
本実施形態によれば、正面を向いた方向性パターンが検出された取得画像のみならず他の方向性パターンに対応した個体識別情報と属性情報の組も記憶できる。
【第３の実施形態】
【００６５】
第３の実施形態の情報対応付け装置３について図１３、図１４に基づいて説明する。
【００６６】
上記各実施形態では、検出部１３では正面を向いた方向性パターンを検出したが、監視カメラ２の中には、天井に取り付けられ、作業者の正面を撮影できないものもある。この場合には、検出部１３は、正面を向いた方向性パターンを検出するのでなく、真上を向いた方向性パターンを検出する。
【００６７】
例えば、図１３、又は、図１４に示すように、監視カメラ２は、属性情報表現体を記載した提示板５３又は提示板５４を持った作業者の頭５２や帽子５５の画像を撮影して、取得部１１が、その画像とその監視カメラ２の個体識別情報を取得する。
【００６８】
解析部１２は、取得画像に写った提示板５３又は提示板５４の属性情報表現体から属性情報を解析する。
【００６９】
検出部１３は、取得画像に写った作業者の頭５２や帽子５５の形状が、円形のときは真上と判断し、対応付け部１４にその旨を出力する。
【００７０】
対応付け部１４は、真上を向いた方向性パターンを検出できたので、属性情報と監視カメラ２の個体識別情報とを対応付けて組を構成し、記憶部１５に記憶させる。
【００７１】
本実施形態によれば、正面のみならず真上に向いた方向性パターンを検出して、それら取得画像に対応した個体識別情報と属性情報の組のみを記憶するため、作業者が意図した天井に取り付けられた監視カメラ２だけに属性情報を付与できる。
【変更例】
【００７２】
上記各実施形態では、監視カメラ２で説明したが、これに限らず、他のカメラのシステムで本実施形態を適応してもよい。
【００７３】
また、検出部１３が、方向性パターンを検出するときに、方向性パターンの大きさや取得画像中の位置も考慮してもよい。例えば、取得画像中の中央でのみ上記の検出を行うことで、検出位置を指定してもよい。また、テンプレートの大きさを特定のものにすることで、検出する大きさを指定してもよい。
【００７４】
また、カメラは可視光のカメラに限らず、赤外線カメラを含めてもよい。
【００７５】
また、検出部１３が検出する方向性パターンに関しては、上記実施形態では正面、真上で説明したが、これ以外の特定の方向を検出できるようにしてもよい。例えば、作業者の真横などである。
【００７６】
また、上記各実施形態では、監視カメラ２を建物１内に設置したが、これに代えて、建物１の外、例えば、公園、スポーツ施設、道路などに設置してもよく、また、船舶、航空機、自動車内部などに設置してもよい。
【００７７】
また、上記実施形態では、属性情報表現体を提示板に記載したが、監視カメラ２の数が多い場合には、この提示板を多数用意する必要があって手間となるため、各監視カメラ２毎に属性情報表示体をタブレット端末やノートパソコンなどの表示画面に表示させてもよい。また、方向性パターンも同様にタブレット端末などの表示画面に表示させてもよい。
【００７８】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【図１】
2015122639.tif 000003
【図２】
2015122639.tif 000004
【図３】
2015122639.tif 000005
【図４】
2015122639.tif 000006
【図５】
2015122639.tif 000007
【図６】
2015122639.tif 000008
【図７】
2015122639.tif 000009
【図８】
2015122639.tif 000010
【図９】
2015122639.tif 000011
【図１０】
2015122639.tif 000012
【図１１】
2015122639.tif 000013
【図１２】
2015122639.tif 000014
【図１３】
2015122639.tif 000015
【図１４】
2015122639.tif 000016